(57)【特許請求の範囲】
【請求項１】
盤後面側に開口保持部が設けられたフレーム筐体内を複数の機能ユニット室に仕切るように取り付けられ、盤前面側をねじ止め構造とし、盤内部側を前記フレーム筐体に設けられた前記開口保持部に差し込む構造とした仕切板と、前記仕切板により仕切られた前記機能ユニット室に収納される機能ユニットと、前記機能ユニット室に位置する前記フレーム筐体に取り付けられ、盤前面側をねじ止め構造とし、盤内部側を前記フレーム筐体に設けられた前記開口保持部に差し込む構造とし、ガイド溝状部を有するガイドレール部材と、前記機能ユニットに取り付けられ、前記ガイドレール部材の前記ガイド溝状部に上部から係合され前記ガイドレール部材にガイドされて前記機能ユニットを着脱および保持するガイド片とを備えたことを特徴とする配電盤。
【請求項２】
前記ガイドレール部材は前記仕切板の下方側に配置され、前記ガイド片は前記機能ユニットの上方側に配置されて前記ガイドレール部材に係合されることを特徴とする請求項１記載の配電盤。
【請求項３】
前記ガイドレール部材は前記仕切板の上方側に配置され、前記ガイド片は前記機能ユニットの下方側に配置されて前記ガイドレール部材に係合されることを特徴とする請求項１記載の配電盤。
【発明の詳細な説明】
【技術分野】
【０００１】
この発明は、例えばコントロールセンタなど複数の機能ユニットを収納する配電盤に関し、特に、各機能ユニット間を仕切ることで機能ユニット室をコンパートメント化する仕切板および機能ユニットの保持構造に関するものである。
【背景技術】
【０００２】
一般的に、電力設備あるいはプラント設備などの運転制御はコントロールセンタなど複数の機能ユニットを収納する配電盤においては、各機能ユニット間を仕切る仕切板は、各機能ユニット間を仕切って機能ユニット室をコンパートメント化するとともに、機能ユニットをそれぞれ着脱および保持する構造となっている。
【０００３】
従来のコントロールセンタなど複数の制御ユニットとしての機能ユニットを収納する配電盤としては、仕切板により複数の機能ユニット室が構成される。これら仕切板の両側端には下方に延びるガイドレールが形成されている。
【０００４】
機能ユニットは、仕切板間に位置する機能ユニット室に配設される。これら機能ユニットの両側部上方側には仕切板の両側端に形成された下方に延びるガイドレールに係合されるための装架レールが取り付けられている。
【０００５】
すなわち、機能ユニットの両側部に設けた装架レールを仕切板の両側端に設けたガイドレールに係合させ、機能ユニットを進退移動させることにより、機能ユニットを吊り下げた状態で着脱および保持するようにしている。
【０００６】
ところで、上記構造は、機能ユニットを吊り下げた状態で着脱および保持するようにしているが、仕切板の上面を機能ユニット配置のための床面として利用する形態もある。この形態では、仕切板の上面に機能ユニットを着脱、保持するためのガイドレールを設け、機能ユニットにも設けられた装架レールをガイドレールに係合させ、機能ユニットを進退移動させることで、機能ユニットを仕切板の上面において着脱および保持することも可能である。
【先行技術文献】
【特許文献】
【０００７】
【特許文献１】特開昭５８−３３９０８号公報
【発明の概要】
【発明が解決しようとする課題】
【０００８】
上述した従来の配電盤においては、機能ユニット間を仕切る仕切板は、機能ユニットを吊り下げもしくは仕切板上に配置して着脱および保持する構造となっている。
【０００９】
また、機能ユニット内の配線用遮断器（図示せず）が遮断動作した後などには、遮断時のアークガスにより、機能ユニット内部および機能ユニットのコンパートメントを形成する上下の仕切板が汚損もしくは損傷することがあり、そのような場合においては、機能ユニットを交換するとともに機能ユニット２４のコンパートメントを形成する上下の仕切板を交換する必要が生じる。
【００１０】
機能ユニットコンパートメントを形成する上下の仕切板を交換する場合、当該機能ユニットのみでなく，当該機能ユニットの上あるいは下の機能ユニットを盤外に引き出す必要が
あり、当該機能ユニット以外の機能ユニットの運転に影響を及ぼすとともに仕切板の交換作業に時間を要するという問題点があった。
【００１１】
この発明は上記のような課題を解決するためになされたものであり、他の機能ユニットの運転に影響を及ぼすことなく、容易に仕切板を交換することができる配電盤を提供することを目的とする。
【課題を解決するための手段】
【００１２】
この発明に係わる配電盤は、盤後面側に開口保持部が設けられたフレーム筐体内を複数の機能ユニット室に仕切るように取り付けられ、盤前面側をねじ止め構造とし、盤内部側を前記フレーム筐体に設けられた前記開口保持部に差し込む構造とした仕切板と、前記仕切板により仕切られた前記機能ユニット室に収納される機能ユニットと、前記機能ユニット室に位置する前記フレーム筐体に取り付けられ、盤前面側をねじ止め構造とし、盤内部側を前記フレーム筐体に設けられた前記開口保持部に差し込む構造とし、ガイド溝状部を有するガイドレール部材と、前記機能ユニットに取り付けられ、前記ガイドレール部材の前記ガイド溝状部に上部から係合され前記ガイドレール部材にガイドされて前記機能ユニットを着脱および保持するガイド片とを備えたものである。
【発明の効果】
【００１３】
この発明に係わる配電盤は、他の機能ユニットの運転に影響を及ぼすことなく、容易に仕切板を交換することができる配電盤を得ることができる。
【図面の簡単な説明】
【００１４】
【図１】この発明の実施の形態１に係わる配電盤を示す正面図である。
【図２】この発明の実施の形態１に係わる配電盤の内部を示す要部正面図である。
【図３】この発明の実施の形態１に係わる配電盤における仕切板を示す斜視図である。
【図４】この発明の実施の形態１に係わる配電盤における仕切板を示す斜視図である。
【図５】この発明の実施の形態１に係わる配電盤の内部を示す要部正面図である。
【００１５】
【図６】この発明の実施の形態２に係わる配電盤における仕切板を示す斜視図である。
【図７】この発明の実施の形態２に係わる配電盤における仕切板を示す斜視図である。
【図８】この発明の実施の形態２に係わる配電盤の内部を示す要部正面図である。
【発明を実施するための形態】
【００１６】
実施の形態１.
以下、この発明の実施の形態１を図１ないし図５に基づいて説明する。図１はこの発明の実施の形態１に係わる配電盤を示す正面図である。図２はこの発明の実施の形態１に係わる配電盤の内部を示す要部正面図である。図３はこの発明の実施の形態１に係わる配電盤における仕切板を示す斜視図である。図４はこの発明の実施の形態１に係わる配電盤における仕切板を示す斜視図である。図５はこの発明の実施の形態１に係わる配電盤の内部を示す要部正面図である。
【００１７】
これら各図において、１は例えばコントロールセンタなど複数の機能ユニットを収納する配電盤、２は配線室扉、３は機能ユニット室扉、４はフレーム筐体であり、そのフレーム筐体４内は後述する仕切板５により複数の機能ユニット室６が構成されている。４ａはフレーム筐体４の両側部にそれぞれ設けられた開口保持部である。
【００１８】
５はフレーム筐体４内を複数の機能ユニット室６に仕切るように取り付けられた機能ユニット室６をコンパートメント化するための仕切板であり、当該仕切板５の盤前面側はねじ止め構造、すなわち、ねじ止め用穴５ａを有する取付部５ｂが設けられ、当該仕切板５の盤内部側はフレーム筐体４に設けられた開口保持部４ａに差し込む構造、すなわち、差込用突起５ｃを有する差込保持部５ｄが設けられている。当該仕切板５により後述する機能ユニット７間が仕切られるようになっている。
【００１９】
７は仕切板５により仕切られて構成された機能ユニット室６にそれぞれ収納される機能ユニットである。８は機能ユニット室６に位置するフレーム筐体４の両側部にそれぞれ取り付けられたガイドレール部材であり、当該ガイドレール部材８は例えば仕切板５の下方側近傍に配置された場合を示し、後述するガイド片９が係合されるガイド溝状部８ａが形成されている。そして、当該ガイドレール部材８の盤前面側はねじ止め構造、すなわち、ねじ止め用穴８ｂが設けられ、当該ガイドレール部材８の盤内部側はフレーム筐体４に設けられた開口保持部４ａに差し込む構造、すなわち、差込用突起８ｃが設けられている。
【００２０】
９は機能ユニット７に取り付けられ、ガイドレール部材８に係合されガイドレール部材８にガイドされて機能ユニット７を着脱および保持するガイド片であり、当該ガイド片９は例えば機能ユニット７の上方側に配置されてガイドレール部材８のガイド溝状部８ａに係合されて機能ユニット７を着脱および保持するように構成されている。図５に示すように、機能ユニット７は吊り下げられた状態で着脱および保持されるようになっている。
【００２１】
次に動作について説明する。ガイド片９が上方側に設けられた機能ユニット７は、所定の機能ユニット室６に収納されるが、機能ユニット７のガイド片９を仕切板５の下方側近傍に配置されたガイドレール部材８のガイド溝状部８ａに係合させ、機能ユニット７を盤内部側にガイドレール部材８のガイド溝状部８ａにガイドさせて押し込むことにより装着されて収納されて保持される。
【００２２】
また、機能ユニット７を取り外すときは、機能ユニット７を盤前面側にガイドレール部材８のガイド溝状部８ａにガイドさせて引き出すことにより取り出すことができるようになっている。
【００２３】
ところで、上述した従来の配電盤においては、機能ユニット２４を仕切るための仕切板２２と、機能ユニット２４を着脱および保持するためのガイドレール部材２２ａとは一つの部品で構成されているので、機能ユニット２４をガイドレール部材２２ａに吊り下げて保持する構造の場合、ある特定の機能ユニット室２３上下の仕切板２２の交換時には下側の仕切板２２には別の機能ユニット２４が吊り下げられて保持されているため、下側の仕切板２２を交換するためには当該仕切板２２に吊り下げられている下側の機能ユニット２４を盤外に引出す必要があった。しかし、この実施の形態１においては、上述した従来のような仕切板２２とガイドレール部材２２ａとが一つの部品で構成したものではなく、仕切板５は仕切板５単独でフレーム筐体４に取り付け、ガイドレール部材８はガイドレール部材８単独でフレーム筐体４に取り付けるようにしており、仕切板５を交換する場合、その仕切板５の下方側の機能ユニット７をガイドレール部材８のガイド溝状部８ａに保持したまま仕切板５の取り外しおよび取り付けを行うことができ、当該仕切板５の下側の機能ユニット７の運転に影響を及ぼすことなく、容易に仕切板５を交換することができる。
【００２４】
また、仕切板５の盤内部側はねじ止めで取り付けるようにすることも可能であり上述した実施の形態１の効果を得ることができるが、図２に示すような盤内部のフレーム筐体４に設けられた開口保持部４ａに差し込む構成とすることにより、ねじ止め等では盤内部に入り込まないと取り外しおよび取り付け作業できないような機能ユニット室６の奥行きが大きい盤構造においても、容易に取り外しおよび取り付け作業を行なうことが可能とすることができる。
【００２５】
ところで、仕切板５とガイドレール部材８との配置構成は図に示すように、仕切板５に切り欠き部５ｅを形成し、この切り欠き部５ｅにガイドレール部材８のフレーム筐体４への取り付け部８ｄの一部が嵌り込むように構成されている。また、ガイドレール部材８のねじ止め用穴８ｂが形成された部分は仕切板５の取付部５ｂの下方側に位置するとともに、ガイドレール部材８の差込用突起８ｃは仕切板５の差込保持部５ｄ上に位置するように構成されている。
【００２６】
実施の形態２.
この発明の実施の形態２を図６ないし図８に基づいて説明する。図６はこの発明の実施の形態２に係わる配電盤における仕切板を示す斜視図である。図７はこの発明の実施の形態２に係わる配電盤における仕切板を示す斜視図である。図８はこの発明の実施の形態２に係わる配電盤の内部を示す要部正面図である。
【００２７】
これら各図において、１は配電盤、４はフレーム筐体、６は機能ユニット室である。１０はフレーム筐体４内を複数の機能ユニット室６に仕切るように取り付けられた機能ユニット室６をコンパートメント化するための仕切板であり、当該仕切板１０の盤前面側はねじ止め構造、すなわち、ねじ止め用穴１０ａを有する取付部１０ｂが設けられ、当該仕切板１０の盤内部側はフレーム筐体４に設けられた開口保持部４ａに差し込む構造、すなわち、差込用突起１０ｃを有する差込保持部１０ｄが設けられている。当該仕切板１０により後述する機能ユニット１１間が仕切られるようになっている。
【００２８】
１１は仕切板１０により仕切られて構成された機能ユニット室６にそれぞれ収納される機能ユニットである。１２は機能ユニット室６に位置するフレーム筐体４の両側部にそれぞれ取り付けられたガイドレール部材であり、当該ガイドレール部材１２は例えば仕切板１０の上方側近傍に配置された場合を示し、後述するガイド片１３が係合されるガイド溝状部１２ａが形成されている。そして、当該ガイドレール部材１２の盤前面側はねじ止め構造、すなわち、ねじ止め用穴１２ｂが設けられ、当該ガイドレール部材１２の盤内部側はフレーム筐体４に設けられた開口保持部４ａに差し込む構造、すなわち、差込用突起１２ｃが設けられている。
【００２９】
１３は機能ユニット１１に取り付けられ、ガイドレール部材１２に係合されガイドレール部材１２にガイドされて機能ユニット１１を着脱および保持するガイド片であり、当該ガイド片１３は例えば機能ユニット１１の下方側に配置されてガイドレール部材１２のガイド溝状部１２ａに係合されて機能ユニット１１を着脱および保持するように構成されている。図８に示すように、機能ユニット１１は仕切板１０表面のすぐ上方側においてガイドレール部材１２に係合された状態で着脱および保持されるようになっている。
【００３０】
次に動作について説明する。ガイド片１３が下方側に設けられた機能ユニット１１は、所定の機能ユニット室６に収納されるが、機能ユニット１１のガイド片１３を仕切板１０の上方側近傍に配置されたガイドレール部材１２のガイド溝状部１２ａに係合させ、機能ユニット１１を盤内部側にガイドレール部材１２のガイド溝状部１２ａにガイドさせて押し込むことにより装着されて収納されて保持される。
【００３１】
また、機能ユニット１１を取り外すときは、機能ユニット１１を盤前面側にガイドレール部材１２のガイド溝状部１２ａにガイドさせて引き出すことにより取り出すことができるようになっている。
【００３２】
ところで、上述した従来の配電盤においては、機能ユニット２４を仕切るための仕切板２２と、機能ユニット２４を着脱および保持するためのガイドレール部材２２ａとは一つの部品で構成されているので、機能ユニット２４をガイドレール部材２２ａに吊り下げて
保持する構造の場合、ある特定の機能ユニット室２３上下の仕切板２２の交換時には下側の仕切板２２には別の機能ユニット２４が吊り下げられて保持されているため、下側の仕切板２２を交換するためには当該仕切板２２に吊り下げられている下側の機能ユニット２４を盤外に引出す必要があった。
【００３３】
しかし、この実施の形態２においては、上述した従来のような仕切板２２とガイドレール部材２２ａとが一つの部品で構成したものではなく、仕切板１０は仕切板１０単独でフレーム筐体４に取り付け、ガイドレール部材１２はガイドレール部材１２単独でフレーム筐体４に取り付けるようにしており、仕切板１２を交換する場合、その仕切板１０の下方側の機能ユニット１１をガイドレール部材１２のガイド溝状部１２ａに保持したまま仕切板１０の取り外しおよび取り付けを行うことができ、当該仕切板１０の下側の機能ユニット１１の運転に影響を及ぼすことなく、容易に仕切板１０を交換することができる。
【００３４】
また、仕切板１０の盤内部側はねじ止めで取り付けるようにすることも可能であり上述した実施の形態２の効果を得ることができるが、図２に示すような盤内部のフレーム筐体４に設けられた開口保持部４ａに差し込む構成とすることにより、ねじ止め等では盤内部に入り込まないと取り外しおよび取り付け作業できないような機能ユニット室６の奥行きが大きい盤構造においても、上述した実施の形態１と同様に、容易に取り外しおよび取り付け作業を行なうことが可能とすることができる。
【００３５】
ところで、仕切板１０とガイドレール部材１２との配置構成は図に示すように、仕切板１０上にガイドレール部材１２が位置する構成とされている。
【産業上の利用可能性】
【００３６】
この発明は、他の機能ユニットの運転に影響を及ぼすことなく、容易に仕切板を交換することができる配電盤の実現に好適である。
【符号の説明】
【００３７】
１  配電盤
４  フレーム筐体
４ａ  開口保持部
５  仕切板
５ａ  ねじ止め用穴
５ｂ  取付部
５ｃ  差込用突起
５ｄ  差込用保持部
６  機能ユニット室
７  機能ユニット
８  ガイドレール部材
８ａ  ガイド溝状部
８ｂ  ねじ止め用穴
８ｃ  差込用突起
９  ガイド片
１０  仕切板
１０ａ  ねじ止め用穴
１０ｂ  取付部
１０ｃ  差込用突起
１０ｄ  差込用保持部
１１  機能ユニット
１２  ガイドレール部材
１２ａ  ガイド溝状部
１２ｂ  ねじ止め用穴
１２ｃ  差込用突起
１３  ガイド片
【図１】
0005523159.tif 000002
【図２】
0005523159.tif 000003
【図３】
0005523159.tif 000004
【図４】
0005523159.tif 000005
【図５】
0005523159.tif 000006
【図６】
0005523159.tif 000007
【図７】
0005523159.tif 000008
【図８】
0005523159.tif 000009